(57)【要約】【課題】ユーザが，他のユーザが出品した出品物を欲しい物として登録するだけで，欲しい物として登録したユーザに対して環形物々交換を提案できる装置を提供する。【解決手段】  本発明に係る物々交換支援装置１は，ユーザが欲しい物を登録した際に欲しい物リスト２２に記憶される欲しい物登録情報を利用して，欲しい物を登録したユーザと，このユーザが出品した出品物を欲しい物として登録したユーザのつながりを示すツリー構造を生成することで環形物々交換を生成し，生成した環形物々交換をユーザに提案する物々交換提案手段１３を備える。【選択図】図６
2017010100.tif 000002
【特許請求の範囲】
【請求項１】
出品物の登録要求をユーザから受けると，ユーザが出品する出品物の出品物ＩＤ，出品物を出品するユーザのユーザＩＤを少なくとも含む前記出品物登録情報を出品物リストに登録する出品物登録手段と，
前記出品物リストに登録されている出品物の一つを欲しい物として登録する要求をユーザから受けると，欲しい物を登録するユーザのユーザＩＤ，欲しい物として登録する出品物の出品物ＩＤ，および，欲しい物として登録する出品物を出品したユーザのユーザＩＤを含む欲しい物登録情報を欲しい物リストに登録する欲しい物登録手段と，
前記欲しい物リストに記憶されている前記欲しい物登録情報を参照して，欲しい物を登録したユーザと，このユーザが出品した出品物を欲しい物として登録したユーザのつながりを解析することで，複数のユーザが環状的にリンクして物々交換を行うことが可能な環形物々交換を生成し，前記環形物々交換に含まれるユーザに対して前記環形物々交換を提案する物々交換提案手段と，
を備えたことを特徴とする物々交換支援装置。
【請求項２】
前記物々交換提案手段は，欲しい物を登録したユーザを親ノードとし，このユーザが出品した出品物を欲しい物として登録したユーザを子ノードとしてリンクさせる処理を，ルートノードとするユーザから親ノードを開始し，子ノードになるユーザがルートノードとしたユーザに一致するまで，子ノードのユーザを次の親ノードのユーザに置き換えて前記処理を繰り返し実行することで，欲しい物を登録したユーザと，このユーザが出品した出品物を欲しい物として登録したユーザのつながりを示すツリー構造を生成し，前記ツリー構造を利用して前記環形物々交換を生成する，ことを特徴とする，請求項１に記載した物々交換支援装置。
【請求項３】
前記出品物登録手段は，出品する出品物の価格帯を前記出品物登録情報に含ませ，
前記欲しい物登録手段は，欲しい物として登録する出品物の価格帯を前記欲しい物登録情報に含ませ，
前記物々交換提案手段は，価格帯が同じ前記欲しい物登録情報を抽出して，前記環形物々交換を形成する，
ことを特徴とする，請求項１または請求項２に記載した物々交換支援装置。
【請求項４】
前記出品物登録手段は，出品物を出品するユーザが住んでいる場所に対応する地域を前記出品物登録情報に含ませ，
前記欲しい物登録手段は，欲しい物として登録する出品物を出品したユーザの地域を前記欲しい物登録情報に含ませ，
前記物々交換提案手段は，地域が同じ前記欲しい物登録情報を抽出して，前記環形物々交換を形成する，
ことを特徴とする，請求項１から請求項３のいずれか一つに記載した物々交換支援装置。
【請求項５】
前記環形物々交換の内容を通知したユーザから前記環形物々交換の承認が返信されると，前記環形物々交換に含まれる全てのユーザから前記環形物々交換の承認が得られたか確認し，前記環形物々交換に含まれる全てのユーザから前記環形物々交換の承認が得られると前記環形物々交換が成立したと判定する成立管理手段と，
成立した前記環形物々交換に含まれる全てのユーザに対して物々交換の事務局への出品物の発送を通知し，ユーザが出品した出品物の受領状況を管理する機能と，出品物を発送したユーザに対し，このユーザが欲しい物として登録した出品物の配送に係る配送料を通知し，ユーザからの配送料の振込み状況を管理する機能と，配送料を振り込んだユーザに対して，このユーザが欲しい物として登録した出品物を配送する指示を物々交換の事務局へ通知する機能を有する配送管理手段と，
を備えたことを特徴とする，請求項１から４のいずれか一つに記載した物々交換支援装置。
【請求項６】
前記配送管理手段は，成立した前記環形物々交換に含まれる全てのユーザに対して出品物の発送を通知する前に，成立した前記環形物々交換に含まれる全てのユーザに対して，ユーザの出品物と同額のデポジットの振込みを通知し，全てのユーザがデポジットを振込むと，成立した前記環形物々交換に含まれる全てのユーザに対して出品物の発送を通知し，配送料を振り込んだユーザに対して，このユーザが欲しい物として登録した出品物を配送する指示を物々交換の事務局へ通知すると，このユーザが振り込んだデポジットをこのユーザに返却する処理を行うデポジット管理機能を有することを特徴とする，請求項５に記載した物々交換支援装置。
【発明の詳細な説明】
【技術分野】
【０００１】
本発明は，ユーザ間で行う物々交換を支援する発明で，更に，複数のユーザが集団的に物々交換を支援できるようにする発明である。
【背景技術】
【０００２】
Ｃ２Ｃ（Consumer to Consumer）と称され，インターネットを利用した一般消費者間取引が普及している。インターネットを利用した一般消費者間取引としては，インターネットを利用してオークションを行うインターネットオークションが有名であるが，インターネットを利用して物々交換を行う物々交換サービスも既に提供されている。現時点では，電子商取引であるインターネットオークションと比較して，電子商取引にならない物々交換サービスの知名度は低いが，リサイクルの観点からすると，今後，物々交換の取引量を増やすことが望ましいと考えられる。
【０００３】
インターネットを利用して物々交換を行う物々交換サービスに係る発明は既に開示されている。例えば，特許文献１では，ネットワークを利用するクライアントサーバコンピュータ環境において、ユーザ間の物々交換を統合的に行えるようにする発明が開示されている。特許文献１に係る発明では，物々交換の対象となる複数の物品に関する情報を、物品を所持する所有者の所有者識別子に関連付けてデータベースに格納しておき，物々交換の相手が見つかると，物々交換の対象となる物品に関連付けられている所有者識別子を，物々交換の相手の所有者識別子に書き換えることで，一般消費者間の物々交換が行われる。
【０００４】
また，１対１の物々交換では，自分が欲しい物品を出品している相手が，自分が提供する物品を欲しくなかったり，また，自分が欲しい物品の価格と自分が提供する物品の価格が違いすぎたりして，１対１の物々交換が成立しないことが多いため，特許文献２では，複数のユーザが集団的に物々交換できるようにする発明として，複数のユーザが環状的にリンクして物々交換を行う環形物々交換を提案できるシステムが開示されている。
【先行技術文献】
【特許文献】
【０００５】
【特許文献１】特開２００１−３２５４７０号公報
【特許文献２】特開２００２−２６９３８５号公報
【発明の概要】
【発明が解決しようとする課題】
【０００６】
特許文献２で開示されている発明のように，複数のユーザが環状的にリンクして物々交換を行う環形物々交換を提案して複数のユーザが集団的に物々交換できるようにすることで，ユーザが物々交換を行えるケースは増えると推測される。しかし，１対１の物々交換を行う場合，物々交換を希望する者は，出品されている物品の写真や詳細説明などを参照し，物々交換を希望する物品そのものを指定できるが，特許文献２に記載の内容では，ユーザに物々交換を提案する物品は物々交換システム側が検索した物品になってしまい，ユーザは，物々交換を希望する物品そのものをユーザ自身で指定できない。同じ品名の物品であっても，物品の色や物品の破損状況が出品者によって異なるため，物々交換のリンクを生成して複数のユーザが集団的に物々交換を行う場合であっても，ユーザが，物々交換を希望する物品をユーザ自身で指定できることが望ましい。
【０００７】
そこで，本発明は，物々交換に用いる物品を出品したユーザが，他のユーザが出品した出品物を欲しい物として登録するだけで，欲しい物として登録したユーザに対して，複数のユーザが環状的にリンクして物々交換を行う環形物々交換を提案できる装置を提供することを目的とする。
【課題を解決するための手段】
【０００８】
上述した課題を解決する第１の発明は，出品物の登録要求をユーザから受けると，ユーザが出品する出品物の出品物ＩＤ，出品物を出品するユーザのユーザＩＤを少なくとも含む前記出品物登録情報を出品物リストに登録する出品物登録手段と，前記出品物リストに登録されている出品物の一つを欲しい物として登録する要求をユーザから受けると，欲しい物を登録するユーザのユーザＩＤ，欲しい物として登録する出品物の出品物ＩＤ，および，欲しい物として登録する出品物を出品したユーザのユーザＩＤを含む欲しい物登録情報を欲しい物リストに登録する欲しい物登録手段と，前記欲しい物リストに記憶されている前記欲しい物登録情報を参照して，欲しい物を登録したユーザと，このユーザが出品した出品物を欲しい物として登録したユーザのつながりを解析することで，複数のユーザが環状的にリンクして物々交換を行うことが可能な環形物々交換を生成し，前記環形物々交換に含まれるユーザに対して前記環形物々交換を提案する物々交換提案手段とを備えたことを特徴とする物々交換支援装置である。第１の発明に係る物々交換支援装置は，ユーザが欲しい物を登録したとき前記欲しい物リストに登録される前記欲しい物登録情報のみを用いて前記環形物々交換を形成するように構成されているため，物々交換に用いる物品を出品したユーザが，他のユーザが出品した出品物を欲しい物として登録するだけで，欲しい物として登録したユーザに対して，複数のユーザが環状的にリンクして物々交換を行う環形物々交換を提案できる。
【０００９】
更に，上述した課題を解決する第２の発明は，前記物々交換提案手段は，欲しい物を登録したユーザを親ノードとし，このユーザが出品した出品物を欲しい物として登録したユーザを子ノードとしてリンクさせる処理を，ルートノードとするユーザから親ノードを開始し，子ノードになるユーザがルートノードとしたユーザに一致するまで，子ノードのユーザを次の親ノードのユーザに用いて（置き換えて）前記処理を繰り返し実行することで，欲しい物を登録したユーザと，このユーザが出品した出品物を欲しい物として登録したユーザのつながりを示すツリー構造を生成し，前記ツリー構造を利用して前記環形物々交換を生成する，ことを特徴とする。第２の発明に係る物々交換支援装置は，欲しい物を登録したユーザと，このユーザが出品した出品物を欲しい物として登録したユーザのつながりを示す前記ツリー構造を利用して，前記環形物々交換を生成するようにした発明である。
【００１０】
更に，第３の発明は，第１の発明または第２の発明に記載した物々交換支援装置において，前記出品物登録手段は，出品する出品物の価格帯を前記出品物登録情報に含ませ，前記欲しい物登録手段は，欲しい物として登録する出品物の価格帯を前記欲しい物登録情報に含ませ，前記物々交換提案手段は，価格帯が同じ前記欲しい物登録情報を抽出して，前記環形物々交換を形成することを特徴とする。第３の発明は，価格帯が同じ出品物を出品したユーザ同士で物々交換できるようにした発明である。
【００１１】
更に，第４の発明は，第１の発明から第３の発明のいずれか一つに記載した物々交換支援装置において，前記出品物登録手段は，出品物を出品するユーザが住んでいる場所に対応する地域を前記出品物登録情報に含ませ，前記欲しい物登録手段は，欲しい物として登録する出品物を出品したユーザの地域を前記欲しい物登録情報に含ませ，前記物々交換提案手段は，地域が同じ前記欲しい物登録情報を抽出して，前記環形物々交換を形成することを特徴とする。第４の発明は，住んでいる地域が同じ出品物を出品したユーザ同士で物々交換できるようにした発明である。
【００１２】
更に，第５の発明は，第１の発明から第４の発明のいずれか一つに記載した物々交換支援装置において，前記環形物々交換の内容を通知したユーザから前記環形物々交換の承認が返信されると，前記環形物々交換に含まれる全てのユーザから前記環形物々交換の承認が得られたか確認し，前記環形物々交換に含まれる全てのユーザから前記環形物々交換の承認が得られると前記環形物々交換が成立したと判定する成立管理手段と，成立した前記環形物々交換に含まれる全てのユーザに対して物々交換の事務局への出品物の発送を通知し，ユーザが出品した出品物の受領状況を管理する機能と，出品物を発送したユーザに対し，このユーザが欲しい物として登録した出品物の配送に係る配送料を通知し，ユーザからの配送料の振込み状況を管理する機能と，配送料を振り込んだユーザに対して，このユーザが欲しい物として登録した出品物を配送する指示を物々交換の事務局へ通知する機能を有する配送管理手段とを備えたことを特徴とする。第５の発明は，本発明に係る物々交換支援装置に，ユーザに提案した前記環形物々交換の実施を管理する機能を持たせた発明である。
【００１３】
更に，第６の発明は，第５の発明に記載した物々交換支援装置において，前記配送管理手段は，成立した前記環形物々交換に含まれる全てのユーザに対して出品物の発送を通知する前に，成立した前記環形物々交換に含まれる全てのユーザに対して，ユーザの出品物と同額のデポジットの振込みを通知し，全てのユーザがデポジットを振込むと，成立した前記環形物々交換に含まれる全てのユーザに対して出品物の発送を通知し，配送料を振り込んだユーザに対して，このユーザが欲しい物として登録した出品物を配送する指示を物々交換の事務局へ通知すると，このユーザが振り込んだデポジットをこのユーザに返却する処理を行うデポジット管理機能を有することを特徴とする。第５の発明は，本発明に係る物々交換支援装置に，前記環形物々交換を実施する際にユーザからデポジットを預かるようにした発明である。
【発明の効果】
【００１４】
このように，上述した本発明によれば，物々交換に用いる物品を出品したユーザが，他のユーザが出品した出品物を欲しい物として登録するだけで，欲しい物として登録したユーザに対して，複数のユーザが環状的にリンクして物々交換を行う環形物々交換を提案できる装置を提供できる。
【図面の簡単な説明】
【００１５】
【図１】物々交換支援装置を説明する図。
【図２】データベース装置が備えるリストを説明する図。
【図３】物々交換支援装置が備える機能を説明する図。
【図４】欲しい物を登録するときユーザ端末に表示される画面を説明する図。
【図５】環形物々交換を説明する図。
【図６】環形物々交換を生成する手順を説明する図。
【図７】欲しい物を登録したユーザを説明する図。
【図８】ユーザＡをルートノードに設定したときのツリー構造を説明する図。
【図９】環形物々交換の提案要求したときにユーザ端末に表示する画面を説明する図。
【図１０】メッセージ交換する際に表示される画面を説明する図。
【図１１】環状物々交換に係る一連の動作を説明する図。
【発明を実施するための形態】
【００１６】
ここから，本発明の好適な実施形態を記載する。なお，以下の記載は本発明の技術的範囲を束縛するものでなく，理解を助けるために記述するものである。
【００１７】
図１は，本実施形態に係る物々交換支援装置１を説明する図である。本実施形態に係る物々交換支援装置１は，複数のユーザが環状的にリンクして物々交換を行う環形物々交換を提案し，より多くのユーザが物々交換できるように提案する装置で，図１に図示したように，物々交換支援装置１はデータベース装置２と接続し，更に，ユーザ端末３および事務局端末４とネットワーク５を介して接続している。
【００１８】
図１で図示したユーザ端末３は，物々交換支援装置１を利用するときにユーザが操作する端末装置で，図１では，ユーザ端末３をスマートフォンとして図示しているが，タブレットコンピュータやパーソナルコンピュータをユーザ端末３として利用することもできる。
【００１９】
図１で図示したユーザ端末３には，物々交換支援装置１を利用するためのコンピュータプログラムが実装される。物々交換支援装置１を利用するためのコンピュータプログラムは，ウェブページの閲覧に用いるブラウザとすることもできるが，本実施形態では，物々交換支援装置１を利用するための機能に特化したアプリケーションプログラムがユーザ端末３にインストールされているものとして説明する。
【００２０】
図１で図示した事務局端末４は，物々交換支援装置１を運営している会社の事務局に設置されるコンピュータで，物々交換支援装置１を運営する事務局が，物々交換支援装置１にデータを登録するときに用いられる端末装置である。物々交換支援装置１を運営する事務局は，物々交換を行う出品物の受領・配送を少なくとも行い，事務局端末４を用いて，物々交換を行う出品物の受領状況などを物々交換支援装置１に登録する。
【００２１】
図１で図示したデータベース装置２は物々交換支援装置１と接続し，物々交換支援装置１が利用する様々なデータを記憶している装置である。図２は，データベース装置２が備えるリストを説明する図で，図２に図示したように，データベース装置２は，データリストとして，ユーザリスト２０，出品物リスト２１，欲しい物リスト２２，価格帯リスト２３および提案管理リスト２４を備える。
【００２２】
データベース装置２が備えるユーザリスト２０は，物々交換支援装置１を利用するユーザに係る情報を記憶するリストである。ユーザリスト２０には，物々交換支援装置１に登録したユーザ毎に，物々交換支援装置１に登録したユーザのユーザ情報が記憶される。このユーザ情報には，ユーザを識別するユーザＩＤ，ユーザの氏名，ユーザの住所，ユーザの住所に対応する地域，ユーザの連絡先が少なくも含まれ，更に，図２では，ユーザが物々交換支援装置１を評価した評価情報を含んでいる。
【００２３】
データベース装置２が備える出品物リスト２１は，物々交換支援装置１を利用するユーザが出品した物品である出品物に係るデータを記憶するリストである。出品物リスト２１には，物々交換支援装置１を利用するユーザが出品した出品物毎に出品物登録情報が記憶され，この出品物登録情報には，出品物を識別する出品物ＩＤ，出品物を出品したユーザである出品者のユーザＩＤ，出品物の物品名，ユーザが出品した出品物の価格，ユーザが出品した出品物の価格が該当する価格帯ＩＤが含まれ，更に，出品物登録情報には，出品物の写真，出品物のカテゴリー，出品物の詳細説明などの詳細情報を含ませることができる。
【００２４】
データベース装置２が備える欲しい物リスト２２は，物々交換支援装置１を利用するユーザが登録した欲しい物に係るデータを記憶するリストである。欲しい物リスト２２には，ユーザが欲しい物を登録する毎に欲しい物登録情報が記憶され，この欲しい物登録情報には，欲しい物を識別する欲しい物ＩＤ，欲しい物を登録したユーザである欲しい物登録者のユーザＩＤ，欲しい物登録者の地域，欲しい物として登録された出品物の出品物ＩＤである欲しい物の出品物ＩＤ，欲しい物として登録された出品物を出品したユーザである欲しい物出品者のユーザＩＤ，欲しい物として登録された出品物の価格帯ＩＤが含まれる。
【００２５】
データベース装置２が備える価格帯リスト２３は，価格帯ＩＤに関連付けて，価格帯ＩＤに対応する価格帯が少なくとも記憶される。また，提案管理リスト２４は，環形物々交換を識別する提案ＩＤに関連付けて，環形物々交換の内容を記した環形物々交換情報を記憶するリストである。なお，環形物々交換の内容を記した環形物々交換情報には，環形物々交換に含まれるユーザのユーザＩＤ，環形物々交換に含まれるユーザが登録した欲しい物の出品物ＩＤ，環形物々交換に含まれるユーザが出品した出品物で，かつ，他のユーザが欲しい物として登録した出品物の出品物ＩＤが含まれる。
【００２６】
ここから，物々交換支援装置１について説明する。図３は，物々交換支援装置１が備える機能を説明する図である。物々交換支援装置１は，一つのサーバまたは複数のサーバにより実現できる装置で，図３に図示したように，物々交換支援装置１として利用するサーバに実装されたコンピュータプログラムがこのサーバのＣＰＵに読み出されて実行されることで機能するユーザ登録手段１０，出品物登録手段１１，欲しい物登録手段１２，物々交換提案手段１３，成立管理手段１４および配送管理手段１５を備える。
【００２７】
物々交換支援装置１のユーザ登録手段１０は，物々交換支援装置１を利用するユーザの登録を受け付ける手段で，物々交換支援装置１への登録を希望するユーザが所持するユーザ端末３から，ユーザの氏名，ユーザの住所，ユーザの地域およびユーザの連絡先等を含むユーザ登録要求が，上述のアプリケーションプログラムが起動しているユーザ端末３から送信されると，物々交換支援装置１への登録を希望したユーザに対応させるユーザＩＤを生成した後，ユーザ登録手段１０が生成したユーザＩＤ，および，ユーザ端末３から受信したデータ（ユーザの氏名，ユーザの住所，ユーザの地域およびユーザの連絡先）を含むユーザ情報をユーザリスト２０に書き込むことで，物々交換支援装置１への登録を希望したユーザをユーザリスト２０に登録する。ユーザの氏名等を入力する画面は，ユーザ端末３のアプリケーションプログラムに記憶させることもできるが，物々交換支援装置１からユーザ端末３に送信するように構成することもできる。
【００２８】
なお，物々交換支援装置１のユーザ登録手段１０は，物々交換支援装置１への登録を希望したユーザをユーザリスト２０に登録すると，ユーザ登録手段１０が生成したユーザＩＤをユーザ端末３のアプリケーションプログラムに記憶させる処理を行うことが望ましい。ユーザ端末３のアプリケーションプログラムにユーザＩＤを記憶させることで，ユーザがユーザＩＤをユーザ端末３に入力しなくとも，ユーザ端末３のアプリケーションプログラムはユーザＩＤを物々交換支援装置１へ送信することが可能になる。
【００２９】
物々交換支援装置１の出品物登録手段１１は，物々交換支援装置１を利用するユーザからの出品を受け付ける手段で，出品物を出品するユーザのユーザＩＤ，出品物の物品名，出品物の価格等を含む出品物登録要求が，上述のアプリケーションプログラムが起動しているユーザ端末３から送信されると，出品要求された出品物に対応させる出品物ＩＤを生成し，更に，価格帯リスト２３を参照して，出品物の価格に対応する価格帯ＩＤを特定し，出品物登録手段１１が生成した出品物ＩＤ，ユーザ端末３から受信したデータ（出品物を出品するユーザのユーザＩＤ，出品物の物品名，出品物の価格等）および価格帯リスト２３を参照して特定した価格帯ＩＤを含む出品物登録情報を書き込むことで，出品要求された出品物を出品物リスト２１に登録する。出品物の名称等を入力する画面は，ユーザ端末３のアプリケーションプログラムに記憶させることもできるが，物々交換支援装置１からユーザ端末３に送信するように構成することもできる。
【００３０】
物々交換支援装置１の欲しい物登録手段１２は，出品物リスト２１に登録されている出品物の中から，ユーザが設定した検索条件に適合する出品物を検索し，検索結果をユーザに提示して，ユーザから欲しい物の登録を受け付ける手段である。物々交換支援装置１の欲しい物登録手段１２は，上述のアプリケーションプログラムが起動しているユーザ端末３から検索条件が送信されると，出品物リスト２１に記憶されている出品物登録情報を利用して，ユーザが設定した検索条件に適合する出品物登録情報を検索し，ユーザ端末３に検索結果を表示させる。ユーザ端末３に表示されている出品物の一つを欲しい物として選択する操作をユーザが行い，上述のアプリケーションプログラムが起動しているユーザ端末３から，欲しい物を登録するユーザのユーザＩＤ，および，欲しい物として登録する出品物の出品物ＩＤを含む欲しい物登録要求が送信されると，物々交換支援装置１の欲しい物登録手段１２は，欲しい物登録要求を受けた欲しい物に対応させる欲しい物ＩＤを生成した後，ユーザリスト２０から，欲しい物を登録するユーザのユーザＩＤ，すなわち，欲しい物登録者のユーザＩＤに対応する地域を取得し，更に，出品物リスト２１から，欲しい物として登録する出品物の出品物ＩＤに対応する出品者のユーザＩＤを欲しい物出品者のユーザＩＤとして取得し，更に，この出品物ＩＤに対応する価格帯ＩＤを取得する。そして，物々交換支援装置１の欲しい物登録手段１２は，生成した欲しい物ＩＤ，欲しい物登録者のユーザＩＤ，欲しい物登録者の地域，欲しい物として登録する出品物の出品物ＩＤである欲しい物の出品物ＩＤ，欲しい物出品者のユーザＩＤ，欲しい物として登録する出品物の価格帯ＩＤを含む欲しい物登録情報を欲しい物リスト２２に追加して，ユーザから登録要求を受けた欲しい物を欲しい物リスト２２に登録する。
【００３１】
図４は，物々交換支援装置１に欲しい物を登録するときユーザ端末３に表示される画面を説明する図である。図４（ａ）は，ユーザが検索条件を設定する画面６ａで，図４（ａ）の画面６ａには，欲しい物のカテゴリーを選択するフォーム，欲しい物に係る検索キーワード）を入力するフォームに加え，ユーザが出品物を検索するときに選択する検索ボタンオブジェクトが含まれる。図４（ｂ）は，検索結果を提示する画６ｂで，図４（ｂ）の画面６ｂには，ユーザが設定した検索条件（ここでは，カテゴリーおよび検索キーワード）に適合する出品物のリストと，選択した出品物の出品物登録情報を見るときにユーザが選択するボタンオブジェクトが含まれる。図４（ｃ）は，出品物の出品物登録情報を表示する画面６ｃで，図４（ｃ）の画面６ｃには，ユーザが選択した出品物の詳細情報（出品物の名称，出品物の写真，出品物の詳細説明等）と，表示している出品物を欲しい物として登録するときにユーザが選択するボタンオブジェクトが含まれる。なお，図４（ｃ）のボタンオブジェクトが選択されると，図４（ｃ）で表示している出品物の出品物登録情報が利用されて，図４（ｃ）で表示している出品物が欲しい物として欲しい物リスト２２に登録される。
【００３２】
環形物々交換を行えるようにするためには，複数のユーザが環状的にリンクしている環形物々交換をユーザに提案し，環形物交換の実施を管理することが必要になるため，本実施形態に係る物々交換支援装置１は，環形物々交換をユーザに提案する物々交換提案手段１３，ユーザに提案した環形物々交換の成立を管理する成立管理手段１４，環形物々交換で行われる出品物の配送を管理する配送管理手段１５を備える。
【００３３】
物々交換支援装置１の物々交換提案手段１３は，欲しい物リスト２２に記憶されている欲しい物登録情報を利用して，欲しい物を登録したユーザと，このユーザが出品した出品物を欲しい物として登録したユーザのつながりを解析することで，複数のユーザが環状的にリンクして物々交換を行うことが可能な環形物々交換を生成し，環形物々交換に含まれるユーザに対して環形物々交換を提案する手段である。
【００３４】
まず，環形物々交換について説明する。図５は，環形物々交換を説明する図である。図５に図示したように，環形物々交換とは，欲しい物登録情報を登録した複数のユーザが環状的にリンクしている形態の物々交換を意味する。図５では，環形物々交換に含まれるユーザはユーザＡ，Ｂ，Ｊ，Ｆの４人で，ユーザＡ，Ｂ，Ｊ，Ｆは，欲しい物登録情報を利用して環状的につながっている。図５では，ユーザＡは，ユーザＢが欲しい物として登録した「商品ａ」を出品したユーザで， ユーザＡとユーザＢは，ユーザＢの欲しい物登録情報によりつながっている。また，ユーザＢは，ユーザＦが欲しい物として登録した「商品ｂ」を出品したユーザで， ユーザＢとユーザＦは，ユーザＦの欲しい物登録情報によりつながっている。また，ユーザＦは，ユーザＪが欲しい物として登録した「商品ｆ」を出品したユーザで， ユーザＦとユーザＪは，ユーザＪの欲しい物登録情報によりつながっている。また，ユーザＪは，ユーザＡが欲しい物として登録した「商品ｊ」を出品したユーザで， ユーザＪとユーザＡは，ユーザＡの欲しい物登録情報によりつながっており，結果として，ユーザユーザＡ，Ｂ，Ｊ，Ｆは環状的につながることになる。なお，図５で図示した環形物々交換が実行されるとき，ユーザＡが出品した「商品ａ」はユーザＢに配送され，ユーザＢが出品した「商品ｂ」はユーザＦに配送さ，ユーザＦが出品した「商品ｆ」をユーザＪに配送し，ユーザＪが出品した「商品ｊ」はユーザＡに配送されることになる。
【００３５】
次に，物々交換支援装置１の物々交換提案手段１３が環形物々交換を生成する手順について説明する。物々交換支援装置１の物々交換提案手段１３は，欲しい物を登録したユーザと，このユーザが出品した出品物を欲しい物として登録したユーザのつながりを示すツリー構造を生成することで環形物々交換を生成する。このツリー構造において，一人のユーザは一つのノードで示され，ツリー構造のノードのデータには，ノードに設定するユーザのユーザＩＤ，ノードに設定するユーザが出品した出品物の出品物ＩＤ，および，ノードに設定するユーザが登録した欲しい物の出品物ＩＤが含まれる。
【００３６】
図６は，環形物々交換を生成する手順を説明する図である。物々交換支援装置１の物々交換提案手段１３は，欲しい物リスト２２を利用して環形物々交換を生成する際，まず，欲しい物リスト２２の中から，欲しい物として登録された出品物の価格帯ＩＤが同じ欲しい物登録情報を抽出し，更に，その中から，欲しい物登録者の地域が同じ欲しい物登録情報を抽出することで，欲しい物として登録された出品物の価格帯ＩＤが同じで，かつ，欲しい物登録者の地域が同じ欲しい物登録情報のグループを抽出する（Ｓ１）。ここで，欲しい物として登録された出品物の価格帯ＩＤが同じ欲しい物登録情報を抽出するのは，出品した出品物の価格帯が同じユーザ間で物々交換を行えるようにするためである。また，地域が同じ欲しい物登録情報を抽出するのは，地域が同じユーザ間で物々交換できるようにするためである。地域が同じユーザ間で物々交換できるようにすれば，出品物の配送に係る配送料をユーザ負担とした際，物々交換に係る配送料のバラツキを小さくできる。
【００３７】
次に，物々交換支援装置１の物々交換提案手段１３は，抽出した欲しい物登録情報のグループ毎に，環形物々交換を生成する環形物々交換生成処理を実行する（Ｓ２）。なお，物々交換支援装置１の物々交換提案手段１３は，環形物々交換生成処理において，欲しい物登録情報を検索する際，環形物々交換生成処理の対象となる欲しい物登録情報のグループから検索することになる。
【００３８】
環形物々交換生成処理（Ｓ２）において，まず，物々交換支援装置１の物々交換提案手段１３は，欲しい物登録情報のグループに含まれる欲しい物登録情報の中から，欲しい物登録情報を一つランダムに抽出し，ランダムに抽出した欲しい物登録情報に記述されている欲しい物登録者のユーザＩＤを，最初にルートノードに設定するユーザのユーザＩＤとして決定する（Ｓ３）。
【００３９】
次に，物々交換支援装置１の物々交換提案手段１３は，ルートノードに設定するユーザのユーザＩＤ，ルートノードに設定するユーザが出品した出品物の出品物ＩＤ，および，ルートノードに設定するユーザが登録した欲しい物の出品物ＩＤをデータとするルートノードを生成する（Ｓ４）。物々交換支援装置１の物々交換提案手段１３は，ルートノードに設定するユーザのユーザＩＤが欲しい物登録者のユーザＩＤとして記述されている欲しい物登録情報を検索し，検索した欲しい物登録情報に記述された欲しい物の出品物ＩＤを，ルートノードに設定するユーザが登録した欲しい物の出品物ＩＤとする。また，物々交換支援装置１の物々交換提案手段１３は，ルートノードに設定するユーザのユーザＩＤが欲しい物出品者のユーザＩＤとして記述されている欲しい物登録情報を検索し，検索した欲しい物登録情報に記述されている欲しい物の出品物ＩＤを，ルートノードに設定するユーザが出品し，かつ，他のユーザが欲しい物に登録した出品物の出品物ＩＤとする。
【００４０】
次に，物々交換支援装置１の物々交換提案手段１３は，欲しい物を登録したユーザと，このユーザが出品した出品物を欲しい物として登録したユーザを親ノードと子ノードを用いてリンクさせる処理を，ルートノードとするユーザから親ノードを開始し，子ノードになるユーザがルートノードとするユーザに一致するまで，子ノードのユーザを次の親ノードのユーザに置き換えてこの処理を繰り返し実行することで，欲しい物を登録したユーザと，このユーザが出品した出品物を欲しい物として登録したユーザのつながりを示すツリー構造を生成する（Ｓ５）。なお，ツリー構造の階層が多すぎると，環形物々交換に含ませるユーザ数が多くなり過ぎるため，ツリー構造の最大階層を予め設定しておくとよい。
【００４１】
Ｓ５の処理において生成するツリー構造に含まれるノードは，ルートノードと同様に，ノードに設定するユーザのユーザＩＤ，ノードに設定するユーザが出品した出品物の出品物ＩＤ，および，ノードに設定するユーザが登録した欲しい物の出品物ＩＤをデータとする。Ｓ５の処理において生成するツリー構造において，欲しい物を登録したユーザが親ノードになり，このユーザが出品した出品物を欲しい物として登録したユーザが子ノードになる。親ノードになるユーザが出品した出品物の出品物ＩＤは，親ノードになるユーザのユーザＩＤが欲しい物出品者のユーザＩＤとして記述されている欲しい物登録情報を検索することで得られる。また，親ノードになるユーザが出品している出品物を欲しい物として登録したユーザのユーザＩＤ，すなわち，子ノードに設定するユーザのユーザＩＤは，親ノードになるユーザが出品している出品物の出品物ＩＤが欲しい物の出品物ＩＤとして記述されている欲しい物登録情報を検索することで得られる。
【００４２】
次に，物々交換支援装置１の物々交換提案手段１３は，欲しい物を登録したユーザと，このユーザが出品した出品物を欲しい物として登録したユーザのつながりを示すツリー構造を解析し，ルートノードからルートノードのユーザＩＤが設定された子ノードまでのパスの内容を環形物々交換として生成する（Ｓ６）。
【００４３】
次に，物々交換支援装置１の物々交換提案手段１３は，ルートノードに設定するユーザＩＤを変更する（Ｓ７）。本実施形態では，物々交換支援装置１の物々交換提案手段１３は，ユーザリスト２０を参照し，ユーザＩＤが，ルートノードにセットしたユーザＩＤの次になるユーザＩＤを次のルートノードとなるユーザＩＤに設定する。
【００４４】
次に，物々交換支援装置１の物々交換提案手段１３は，変更したルートノードのユーザＩＤが，環形物々交換生成処理（Ｓ３）で生成した環形物々交換に含まれているか確認し（Ｓ８），環形物々交換に含まれていた場合は，Ｓ７に戻る。
【００４５】
変更したルートノードのユーザＩＤが，環形物々交換に含まれていない場合，物々交換支援装置１の物々交換提案手段１３は，変更したユーザＩＤが，最初にルートノードに設定したユーザのユーザＩＤであるか確認し（Ｓ９），変更したルートノードのユーザＩＤが，最初にルートノードに設定したユーザのユーザＩＤでない場合は，Ｓ４に戻る。
【００４６】
変更したルートノードのユーザＩＤが，最初にルートノードに設定したユーザのユーザＩＤの場合，物々交換支援装置１の物々交換提案手段１３は，環形物々交換生成処理（Ｓ３）で生成した環形物々交換毎に提案ＩＤを生成し，環形物々交換の内容を記した環形物々交換情報を提案ＩＤに関連付けて提案管理リスト２４に記憶させて（Ｓ１０），環形物々交換生成処理は終了し，全ての欲しい物登録情報のグループについて環形物々交換生成処理が終了すると，図６の手順は終了する。
【００４７】
具体的な例を示しながら，上述の手順について詳細に説明する。図７は，欲しい物を登録したユーザを説明する図で，図７では，地域が同じユーザは，ユーザＡからユーザＪまでの１０人としている。図７において，ユーザＡが出品している出品物は「商品ａ」で，ユーザＡが欲しい物として登録している出品物は「商品ｊ」である。また，ユーザＢが出品している出品物は「商品ｂ」で，ユーザＢが欲しい物として登録している出品物は「商品ａ」である。また，ユーザＣが出品している出品物は「商品ｃ」で，ユーザＣが欲しい物として登録している出品物は「商品ａ」である。また，ユーザＤが出品している出品物は「商品ｄ」で，ユーザＤが欲しい物として登録している出品物は「商品ａ」である。また，ユーザＥが出品している出品物は「商品ｅ」で，ユーザＥが欲しい物として登録している出品物は「商品ｂ」である。また，ユーザＦが出品している出品物は「商品ｆ」で，ユーザＦが欲しい物として登録している出品物は「商品ｂ」である。また，ユーザＧが出品している出品物は「商品ｇ」で，ユーザＧが欲しい物として登録している出品物は「商品ｃ」である。また，ユーザＨが出品している出品物は「商品ｈ」で，ユーザＨが欲しい物として登録している出品物は「商品ｄ」である。また，ユーザＩが出品している出品物は「商品ｉ」で，ユーザＩが欲しい物として登録している出品物は「商品ｅ」である。また，ユーザＪが出品している出品物は「商品ｊ」で，ユーザＪが欲しい物として登録している出品物は「商品ｆ」である。
【００４８】
図８は，ユーザＡをルートノードに設定したときのツリー構造７を説明する図である。図８に従えば，ユーザＡが出品した「商品ａ」を欲しい物として登録したユーザは，ユーザＢ，Ｃ，Ｄになるため，ユーザＡが設定されたルートノードは，ユーザＢが設定された子ノード，ユーザＣが設定された子ノードそしてユーザＤが設定された子ノードとリンクしている。このように，欲しい物登録情報を利用して，欲しい物として出品物を登録したユーザと，欲しい物として登録されている出品物を出品したユーザをつなぐことで，図８のユーザから，図８で図示したツリー構造７が生成される。なお，図８では，ユーザＪの子ノードに，ルートノードに設定したユーザＡが設定されているため，ルートノードからユーザＪまでのパス（Ａ−Ｂ−Ｆ−Ｊ）の内容が環形物々交換として生成される。
【００４９】
物々交換支援装置１の物々交換提案手段１３は，環形物々交換を生成した後，ユーザ端末３から環形物々交換の提案要求を受けると，提案要求したユーザのユーザＩＤを含む環形物々交換情報の内容をこのユーザ端末３へ送信する。ユーザ端末３で起動しているアプリケーションプログラムは，アプリケーションプログラムが記憶しているユーザＩＤを環形物々交換の提案要求に含ませ，物々交換支援装置１の物々交換提案手段１３は，環形物々交換の提案要求に含まれているユーザＩＤを含む環形物々交換情報の内容をユーザ端末３に表示させて，ユーザに環形物々交換を提案することになる。
【００５０】
図９は，環形物々交換の提案要求したときにユーザ端末３に表示される画面６ｄを説明する図である。環形物々交換の提案要求したときにユーザ端末３に表示される画面６ｄには，環形物々交換を提案要求したユーザが他のユーザからもらう出品物に係る情報，環形物々交換を提案要求したユーザが他のユーザへ配送する出品物に係る情報，環形物々交換に含まれるユーザと出品物の流れを示す画像，環形物々交換を提案要求したユーザが他のユーザとメッセージ交換する際に選択するボタンオブジェクト，ユーザに提案された環形物々交換を承認する際に選択するボタンオブジェクトが含まれる。
【００５１】
図１０は，メッセージ交換する際に表示される画面６ｅを説明する図である。図１０の画面６ｅには，環形物々交換を提案要求したユーザが，環形物々交換に含まれる他のユーザから受信したメッセージ，環形物々交換を提案要求したユーザが，環形物々交換に含まれる他のユーザへ送信したメッセージが表示され，更に，環形物々交換に含まれる他のユーザへ送信するメッセージの入力フォームが表示されている。
【００５２】
物々交換支援装置１の成立管理手段１４について説明する。物々交換支援装置１の成立管理手段１４は，ユーザに提案した環形物々交換の成立を管理する機能である。ユーザに提案した環形物々交換の成立には，環形物々交換に含まれる全てのユーザから承認が得られることが必要になる。物々交換支援装置１の成立管理手段１４は，例えば，図６ｄの承認に係るボタンオブジェクトが選択されるなどして，環形物々交換を承認するユーザのユーザＩＤとユーザに提案した環形物々交換の提案ＩＤが少なくとも返信されると，提案管理リスト２４にアクセスし，この提案ＩＤに関連付けられた環形物々交換情報に，環形物々交換を承認したユーザのユーザＩＤを追加し，提案ＩＤに対応する環形物々交換に含まれる全てのユーザから承認が得られると，提案ＩＤに対応する環形物々交換が成立したと判定する。物々交換支援装置１の成立管理手段１４は，提案ＩＤに対応する環形物々交換が成立したと判定すると，ユーザリスト２０を参照し，提案ＩＤに対応する環形物々交換情報に含まれるユーザの連絡先を全て取得して，提案ＩＤに対応する環形物々交換情報に含まれるユーザ全てのユーザに対して環形物々交換の成立を通知し，更に，提案ＩＤに対応する環形物々交換が成立したことを事務局に通知する。
【００５３】
物々交換支援装置１の配送管理手段１５は，成立した環形物々交換における出品物の配送を管理する手段である。１対１の物々交換の場合，ユーザ間で出品物のやり取りが行われるが，環形物々交換の場合，ユーザが出品した出品物を配送する相手と，ユーザに対して出品物を配送する相手が異なるため，出品物の配送は物々交換の事務局にて一元管理される。
【００５４】
本実施形態において，成立した環形物々交換における出品物の配送管理は以下の手順で実行される。まず，事務局は，事務局端末４を操作して，提案管理リスト２４から，成立した環形物々交換の提案ＩＤに対応する環形物々交換情報から全てのユーザＩＤを取得し，更に，ユーザリスト２０から，成立した環形物々交換に含まれるユーザの住所を取得した後，事務局からユーザの住所に出品物を配送するときの配送料を特定し，事務局からユーザの住所に出品物を配送するときの配送料を，成立した環形物々交換の提案ＩＤに対応する環形物々交換情報に追加する。
【００５５】
次に，物々交換支援装置１の配送管理手段１５は，環形物々交換が成立すると，提案管理リスト２４から，成立した環形物々交換の提案ＩＤに対応する環形物々交換情報から全てのユーザＩＤを取得し，更に，ユーザリスト２０から，成立した環形物々交換に含まれるユーザの連絡先を取得した後，成立した環形物々交換に含まれる全てのユーザに対して事務局への出品物の発送依頼を通知する。
【００５６】
事務局は，出品物の発送依頼を通知したユーザから出品物が発送されると，事務局端末４を利用して，提案管理リスト２４にアクセスし，事務局に出品物を配送したユーザが対応する環形物々交換の環形物々交換情報に出品物を発送したユーザのユーザＩＤを登録する。物々交換支援装置１の配送管理手段１５は，ユーザリスト２０を参照して，出品物を発送したユーザのユーザＩＤに対応するユーザの連絡先を取得し，このユーザの連絡先に対して，このユーザが欲しい物として登録した出品物をユーザへ配送する配送料の振込依頼を通知することで，出品物を発送したユーザに対して配送料の振込みを依頼する。なお，ユーザが欲しい物として登録した出品物をユーザへ配送する配送料は，環形物々交換を行うユーザで均一になることが好ましいため，物々交換支援装置１の配送管理手段１５は，環形物々交換の出品物をユーザへ配送する配送料の平均値を予め求めておくとよい。
【００５７】
物々交換支援装置１の配送管理手段１５は，配送料の振込みが完了したユーザのユーザＩＤと環形物々交換の提案ＩＤが事務局などから通知されると，提案管理リスト２４にアクセスし，この提案ＩＤに対応する環形物々交換情報に，配送料の振込みが完了したユーザのユーザＩＤを登録し，配送料の振込みが完了したユーザに対する出品物の配送を事務局端末４に通知し，配送料の振込みが完了したユーザに対して，このユーザが欲しい物として登録した出品物が事務局から配送される。
【００５８】
また，物々交換支援装置１の配送管理手段１５は，環状的物々交換を行う全てのユーザから預かるデポジットを管理する機能を備えることが好適である。デポジット管理機能を配送管理手段１５が備える場合，物々交換支援装置１の配送管理手段１５は，成立した環形物々交換に含まれる全てのユーザに対して出品物の発送依頼を通知する前に，成立した環形物々交換に含まれる全てのユーザの連絡先に対してデポジットの振込依頼を通知する。なお，ユーザから預かるデポジットの額は，ユーザが出品した出品物の価格になる。そして，物々交換支援装置１の配送管理手段１５は，デポジットの振込みが完了したユーザのユーザＩＤと環形物々交換の提案ＩＤが事務局端末４などから通知されると，提案リストにアクセスして，この提案ＩＤに対応する環形物々交換情報に，デポジットの振込みが完了したユーザのユーザＩＤを登録する。また，物々交換支援装置１の配送管理手段１５は，配送料の振込みが完了したユーザに対する出品物の配送を事務局端末４に通知した後，このユーザが振込んだデポジットの返却を事務局に通知する。
【００５９】
図１１は，環状物々交換に係る一連の動作を説明する図である。ユーザが，物々交換支援装置１を利用するためには，物々交換支援装置１にユーザ登録することが必要で，物々交換支援装置１の利用を希望するユーザが，ユーザ端末３を操作して，物々交換支援装置１にユーザ登録する操作を行うと，ユーザ端末３は物々交換支援装置１に対してユーザ登録要求を送信し，物々交換支援装置１のユーザ登録手段１０は，物々交換支援装置１の利用を希望するユーザに係るユーザ情報をデータベース装置２のユーザリスト２０に登録する（Ｓ２０）。
【００６０】
物々交換支援装置１に登録したユーザが，物々交換支援装置１を利用して物々交換を行うには，物々交換に用いる物品を出品することが必要で，ユーザが，ユーザ端末３を操作して，物々交換支援装置１に出品物を登録する操作を行うと，ユーザ端末３は物々交換支援装置１に対して出品物登録要求を送信し，物々交換支援装置１の出品物登録手段１１は，ユーザが出品する出品物に係る出品物登録情報をデータベース装置２の出品物リスト２１に登録する（Ｓ２１）。
【００６１】
物々交換支援装置１に登録したユーザが，物々交換支援装置１を利用して物々交換を行うには，ユーザが欲しい物を物々交換支援装置１に登録することが必要で，ユーザが，ユーザ端末３を操作して，物々交換支援装置１に欲しい物を登録する操作を行うと，ユーザ端末３は物々交換支援装置１に対して欲しい物登録要求を送信し，物々交換支援装置１の欲しい物登録手段１２は，ユーザが登録する欲しい物に係る欲しい物登録情報をデータベース装置２の欲しい物リスト２２に登録する（Ｓ２２）。
【００６２】
物々交換支援装置１の物々交換提案手段１３は，一定間隔（例えば，１日ごと）に，環形物々交換を生成する処理を行い（Ｓ２３），環形物々交換の提案要求したユーザ端末３に対し，環形物々交換を提案要求したユーザが含まれる環形物々交換を提案する（Ｓ２４）。
【００６３】
ユーザに対して環形物々交換を提案すると，図１０で図示した画面６ｅなどを利用して，環形物々交換に含まれるユーザ間でメッセージ交換が行われ（Ｓ２５），環形物々交換に承認したユーザから，物々交換支援装置１に対して環形物々交換の承認が返送される（Ｓ２６）。
【００６４】
環形物々交換を提案したユーザから環形物々交換の承認が返送されると，物々交換支援装置１が備える成立管理手段１４は，環形物々交換に含まれる全てのユーザから環形物々交換の承認が得られたか確認し（Ｓ２７），環形物々交換に含まれる全てのユーザから環形物々交換の承認が得られると，環形物々交換に含まれる全てのユーザに対して環形物々交換の成立を通知する（Ｓ２８）。また，物々交換支援装置１が備える成立管理手段１４は，環形物々交換が生成されてから所定期間（例えば，２週間）以内に，環形物々交換に含まれる全てのユーザからの承認が得られない場合，環形物々交換は不成立と判定し，この手順を終了する。
【００６５】
物々交換支援装置１の配送管理手段１５は，成立した環状的物々交換に含まれる全てのユーザに対して，ユーザが出品している出品物の価格に対応するデポジットの振込依頼を通知する（Ｓ２９）。ユーザがデポジットを振込むと（Ｓ３０），事務局は，事務局端末４を操作して，デポジットを振込んだユーザを物々交換支援装置１に登録し（Ｓ３１），物々交換支援装置１の配送管理手段１５は，デポジットを振込んだユーザが登録されると，環形物々交換に含まれる全てのユーザがデポジットの振込んだか確認し（Ｓ３２），環形物々交換に含まれる全てのユーザがデポジットの振込んでいる場合，環形物々交換に含まれる全てのユーザに対して出品物の発送を通知する（Ｓ３３）。なお，物々交換支援装置１の配送管理手段１５は，環形物々交換が成立してから所定期間（例えば，１週間）以内に，環形物々交換に含まれる全てのユーザがデポジットを振り込まない場合，環形物々交換の続行は不可と判定し，この手順を終了する。なお，環形物々交換の続行は不可と判定されると，既にデポジットを振込んでいるユーザに対しては，ユーザが振り込んだデポジットが返還される。事務局は，出品物の発送依頼を通知したユーザから出品物が発送されると（Ｓ３４），事務局端末４を操作して，事務局に出品物を発送したユーザを物々交換支援装置１に登録し（Ｓ３５），物々交換支援装置１の配送管理手段１５は，事務局へ出品物を発送したユーザに対して，欲しい物として登録した出品物を配送するときの配送料を算出し（Ｓ３６），このユーザに対して配送料の振込みを依頼する（Ｓ３７）。ユーザが配送料を振り込むと（Ｓ３８），事務局は，事務局端末４を操作して，配送料を振り込んだユーザを物々交換支援装置１に登録する（Ｓ３９）。物々交換支援装置１の配送管理手段１５は，配送料を振り込んだユーザが欲しい物として登録した出品物の配送を事務局に通知し（Ｓ４０），事務局は，配送料を振り込んだユーザに対して，欲しい物を登録した出品物を配送し（Ｓ４１），ユーザは，欲しい物として登録した出品物を受け取る（Ｓ４２）。欲しい物として登録した出品物を受け取ったユーザは，欲しい物として登録した出品物を出品したユーザの評価情報を物々交換支援装置１に登録し（Ｓ４３），物々交換支援装置１の配送管理手段１５は，評価情報を登録したユーザに対して，ユーザが振り込んだデポジットの返還を事務局端末４へ通知し（Ｓ４４），事務局は，評価情報を登録したユーザに対して，ユーザが振り込んだデポジットを返還する（Ｓ４５）。
【符号の説明】
【００６６】
１    物々交換支援装置
１０  ユーザ登録手段
１１  出品物登録手段
１２  欲しい物登録手段
１３  物々交換提案手段
１４  成立管理手段
１５  配送管理手段
２    データベース装置
２０  ユーザリスト
２１  出品物リスト
２２  欲しい物リスト
２３  価格帯リスト
２４  提案管理リスト
【図１】
2017010100.tif 000003
【図２】
2017010100.tif 000004
【図３】
2017010100.tif 000005
【図４】
2017010100.tif 000006
【図５】
2017010100.tif 000007
【図６】
2017010100.tif 000008
【図７】
2017010100.tif 000009
【図８】
2017010100.tif 000010
【図９】
2017010100.tif 000011
【図１０】
2017010100.tif 000012
【図１１】
2017010100.tif 000013